(57)【要約】【課題】曲面外壁を有する部分の床を、合理的で施工性に優れた納まりによって、それ以外の部分と床高が揃うように施工しうる床組構造を提供することを解決課題とする。【解決手段】平面視矩形の一般部床面側においては、当該床面を囲む床梁２４の内側面に根太受け金物４５を介して根太５１を突付け接合し、床梁２４と根太５１の天端を一致させる。一方、縁部が円弧状その他の曲線状に形成される変形床面側においては、湾曲梁２３を、その天端が前記一般部床面を囲む床梁２４の上面よりも低くなるように架設し、この湾曲梁２３の上面に根太５２を載架して、この根太２３の天端を一般部床面側の床梁２４及び根太５１の天端に一致させる。そして、一般部床面側及び変形床面側の各根太５１，５２上に床面材６１を面一に貼設する。【選択図】図６
2004232389.tif 000002
【特許請求の範囲】
【請求項１】
縁部が円弧状ないし、これに類する曲線状に形成される変形床面と、この変形床面に隣接する平面視矩形の一般部床面とを、互いの床高が揃うように仕上げる床組構造であって、
一般部床面側においては、当該床面を囲む床梁の内側面に、根太受け金物を介して根太を突付け接合し、床梁と根太の天端を一致させる一方、
変形床面側においては、変形床面の縁部に沿って配置される湾曲梁を、その天端が前記一般部床面を囲む床梁の上面よりも低くなるように架設し、この湾曲梁の上面に根太を載架して、この根太の天端を前記一般部床面側の床梁及び根太の天端に一致させ、
前記一般部床面側及び変形床面側の各根太上に床面材を面一に貼設することを特徴とする床組構造。
【請求項２】
請求項１に記載の床組構造において、変形床面側の根太は、湾曲梁の天端を根太の幅に切り欠いて形成した欠込部に嵌め込まれて接合されたことを特徴とする床組構造。
【請求項３】
請求項１に記載の床組構造において、湾曲梁の天端には、変形床面側の根太の側面間を連結する根太つなぎ材が取り付けられたことを特徴とする床組構造。
【発明の詳細な説明】
【０００１】
【発明の属する技術分野】
本発明は、曲面外壁を有する木質系建物の床組構造に関する。
【０００２】
【従来の技術】
木質系建物における床構造は、主として、大引、床梁、根太等からなる支持構造体の上に床面材を敷設してゆく床組構造と、根太に相当する桟材を枠組みして予め床面材を貼設した床パネルを梁間に架設するパネル構造に大別される。床組構造に関する従来技術としては、例えば特許文献１に記載のものがあり、パネル構造に関する従来技術としては、例えば特許文献２〜３に記載のものがある。
【０００３】
【特許文献１】
特開平１１−３０３２７７号公報
【特許文献２】
特開平９−１６５８５８号公報
【特許文献３】
特開平９−１３４９７号公報
【０００４】
【発明が解決しようとする課題】
図８は、入隅部に曲面外壁を有するアルコーブ状の突出部９０が付設された木質系建物９の構造を簡略的に示した模式図である。例示の建物９は、壁体が柱９１、間柱９２、梁９３等からなる軸組構造で、建物本体の２階部分の床は、梁間に架設した根太９４の上に図示しない床面材を貼設するか、梁間に床パネルを架設する構法によって形成される。曲面外壁を有する突出部９０は、床面の平面形状が四分の一円の円弧状部分と矩形部分とを組み合わせた形状に形成され、１階部分の壁面には縦長の大きな開口部９５が設けられる。突出部９０の２階部分はバルコニーとなされ、縁部に手摺９６が設置される。
【０００５】
このような形態の建物では、前記従来の技術に示した床構造をそのまま実施しようとした場合、特に２階部分の床構造の納まりにおいて、いくつかの不都合が生じる。すなわち、根太を組む床組構法では、施工性を高めるために、床梁と根太との仕口接合部に鋼板製の根太受け金物を用いることが多いが、曲面外壁を有する突出部では、湾曲梁と根太との交差角が接合部位ごとに異なるので、この接合にも同様の根太受け金物を用いるとなると、接合部位ごとの角度に応じた根太受け金物を個別に製作しなければならず、きわめて非効率である。かといって、湾曲梁によって支持される床面と、直線状の梁によって囲まれる床面との間で根太の納まりを変えると、両側の床面高さが揃わなくなってしまう可能性がある。
【０００６】
一方、予め製作した床パネルを架設するパネル構法では、床パネルの縁部を円弧状に製作することが面倒である。また、曲面外壁が軸組構法による場合は、床パネルと湾曲梁との接合部の納まりが複雑になり、曲面外壁が壁パネル構法による場合は、壁パネルと床パネルとの接合部における剛性が弱くなりやすい。
【０００７】
そこで、本発明は、例示のような曲面外壁を有する部分の床を、合理的で施工性に優れた納まりによって、それ以外の部分と床高が揃うように施工しうる床組構造を提供することを解決課題とする。
【０００８】
【課題を解決するための手段】
前記課題を解決するため、本発明の床組構造は、縁部が円弧状ないし、これに類する曲線状に形成される変形床面と、この変形床面に隣接する平面視矩形の一般部床面とを、互いの床高が揃うように仕上げる床組構造であって、一般部床面側においては、当該床面を囲む床梁の内側面に、根太受け金物を介して根太を突付け接合し、床梁と根太の天端を一致させる一方、変形床面側においては、変形床面の縁部に沿って配置される湾曲梁を、その天端が前記一般部床面を囲む床梁の上面よりも低くなるように架設し、この湾曲梁の上面に根太を載架して、この根太の天端を前記一般部床面側の床梁及び根太の天端に一致させ、前記一般部床面側及び変形床面側の各根太上に床面材を面一に貼設することを特徴とする。
【０００９】
さらに、この床組構造において、変形床面側の根太は、湾曲梁の天端を根太の幅に切り欠いて形成した欠込部に嵌め込まれて接合されたことを特徴とする。
【００１０】
さらに、この床組構造において、湾曲梁の天端には、変形床面側の根太の側面間を連結する根太つなぎ材が取り付けられたことを特徴とする。
【００１１】
【発明の実施の形態】
以下、本発明の実施の形態について、図面を参照しつつ説明する。
【００１２】
図１〜図５は、木質系建物の入隅部に付設される突出部の一例を示す。この突出部は、建物本体側の柱（通し柱１１，１２，１３）や床梁２１，２２によって構成される本体側軸組と連結されるもので、平面形状が四分の一円の円弧状部分Ｒと、この円弧状部分の半径に相当する寸法を長辺とする矩形部分Ｓとを組み合わせた形状になっている。例示の形態では、この突出部の１階は建物の屋内に連通し、２階はバルコニーとして利用される。
【００１３】
円弧状部分の１階軸組は、基礎３１上にスペーサ３２を介して取り付けられた土台３３と、矩形部分との境界位置に立設されたバルコニー柱１４と、建物本体側の通し柱１２とによって囲まれた壁面架構の内側に、縦長の開口部を形成するための管柱１５を立設し、管柱１５の上部間を湾曲まぐさ３４及び湾曲梁２３で連結して構成されている。湾曲まぐさ３４と湾曲梁２３との間には複数個のスタッド３５が取り付けられている。
【００１４】
一方、矩形部分の１階軸組は、建物本体側の通し柱１１と、境界位置のバルコニー柱１４とを、バルコニー床梁２４で連結して構成されている。
【００１５】
バルコニー柱１４と、湾曲梁２３及びバルコニー床梁２４との各接合部は、図６〜図７に示すように、バルコニー柱１４の側面にボルト・ナット４１で取り付けた平面視コ字状の仕口金物４２，４３を、湾曲梁２３及びバルコニー床梁２４の端面にそれぞれ形成したスリットに挿入して、ドリフトピン４４で連結することにより接合されている。
【００１６】
この突出部の２階床面は、円弧状部分の床面（以下、「変形床面」という。）と矩形部分の床面（以下、「一般部床面」という。）とが面一となるように施工される。以下、この納まりについて詳細に説明する。
【００１７】
一般部床面側においては、この床面を囲む床梁２２とバルコニー床梁２４との間に根太５１が架設される。この根太５１は、例えばＣマーク認定金物（財団法人日本住宅・木材技術センター）にあるような鋼製の根太受け金物４５等を介して、床梁２２及びバルコニー床梁２４の内側面に突付け接合される。例示の形態では、境界位置にあるバルコニー柱１４の側面にも根太５１が接合されている。そして、この一般部床面側では、図６に示すように、根太５１の天端と、床梁２２及びバルコニー床梁２４の天端とが面一に揃えられる。
【００１８】
変形床面側においても、図３に示すように、前記一般部床面側の根太５１と平行に、複数本の根太５２が架設される。これらの根太５２と建物本体側の床梁２２との接合部は、前記一般部床面側と同様、根太５２を床梁２２の側面に突付けて接合される。しかし、湾曲梁２３に対しては、図６に示すように、湾曲梁２３の成を床梁２２やバルコニー床梁２４の成よりも低くして、その上に根太５２を載架する納まりが採用される。湾曲梁２３の天端には、根太５２の幅に合致する欠込部が形成されて、この欠込部に根太５２が嵌め込まれ、図示しない斜め釘等により固定される。湾曲梁２３の取付位置や欠込部の深さは、根太５１の天端と床梁２２との天端が面一に揃うように設定される。
【００１９】
さらに、本実施の形態では、変形床面側の根太５２同士を連結する根太つなぎ材５３が、湾曲梁２３の天端に沿って取り付けられる。根太つなぎ材５３は直線状の部材の材端を斜めにカットしたもので、湾曲梁２３の曲げ方向に沿って根太５２間に配置され、根太５２の側面と湾曲梁２３に対して図示しない斜め釘等により固定される。根太つなぎ材５３の天端も、根太５２の天端に揃えられる。
【００２０】
こうして、一般部床面側の根太５１と変形床面側の根太５２とが天端を揃えて平行に配置された後、それらの上面に床下地となる床面材６１が貼設される。床面材６１は、図４に示すように、根太５１，５２のスパンに対応する幅で適当な長さに分割されて、縁部同士が根太５１，５２上で隣接するように配置され、根太５１，５２や梁材に対して釘打ち固定される。
【００２１】
さらに、例示の形態では、床面材６１上に適宜間隔で手摺子６２が立設され、手摺子６２の上部に手摺６３が取り付けられる。手摺子６２は、図５に示すように、その側面が四分の一円弧状をなす変形床面の中心に対して放射状になるように立設される。
【００２２】
このように本発明の床組構造では、直線状の床梁２２やバルコニー梁２４と湾曲梁２３との間で断面寸法の異なる梁材を使用し、根太５１，５２の受け方を変えることによって、梁材と根太５１，５２との接合部を、それぞれ部材加工の比較的簡単な構造で強固に接合することができる。また、一般部床面側の根太５１と変形床面側の根太５２の断面寸法を統一して、部材の共通化による施工コストの削減を図ることもできる。
【００２３】
また、変形床面側においては、湾曲梁２３の天端に欠込部が形成されて根太５２が嵌め込まれ、さらに、根太５２の側面間が根太つなぎ材５３で連結されることにより、根太５２や床面材６１と湾曲梁２３との一体性が向上して、床組の水平剛性が増す。
【００２４】
さらに、本発明の床組構造は、例示のような曲面外壁を有する突出部に適用されるものであり、この突出部の壁体が湾曲梁を用いた軸組構法によって形成されることを前提としているので、ツーバイフォー構法やこれに類するパネル構法等に比べて、曲面外壁部分に大きな開口部を確保したい場合には有利な構造となる。
【００２５】
なお、本発明は、例示のように、建物の入隅部に設けられた平面視四分の一円弧状の変形床面だけでなく、例えば平面視略半円形状の床面、あるいは任意の曲線で囲まれた床面と、平面視矩形の一般部床面との連続部分に広く採用することが可能である。また、前記説明では突出部の２階部分をバルコニーとする形態を例示したが、この２階部分を外壁で囲んで屋内空間にすることももちろん可能である。
【００２６】
【発明の効果】
本発明の床組構造によると、一般部床面側と変形床面側に共通の根太を使用しながら、一般部床面側では根太受け金物を介して根太を効率的に架設することができ、また、変形床面側では、湾曲梁上に根太を載架する構法によって、面倒な部材加工を最小限にすることができるので、床組の施工性が向上する。
【００２７】
さらに、変形床面側の湾曲梁の天端に欠込部を形成して根太を嵌め込んだり、根太の側面間を根太つなぎで連結することにより、床面材と湾曲梁との一体性が向上して、床組の水平剛性が増す。
【図面の簡単な説明】
【図１】本発明の床組構造を備えた曲面外壁を有する突出部の側面図である。
【図２】図１に示した前記突出部を図１の左方から見た側面図である。
【図３】図１中に示したＡ断面線における前記突出部の水平断面図である。
【図４】図１中に示したＢ断面線における前記突出部の水平断面図である。
【図５】図１中に示したＣ断面線における前記突出部の水平断面図である。
【図６】図１及び図３中に示したＥ部及びＦ部における各部材の高さ関係を示した納まり詳細図である。
【図７】バルコニー柱と、湾曲梁及びバルコニー床梁との各接合部を示す水平断面図である。
【図８】入隅部に曲面外壁を有する突出部が設けられた木質系建物の構造を示す模式図である。
【符号の説明】
２１  床梁
２２  床梁
２３  湾曲梁
４５  根太受け金物
５１  根太
５２  根太
５３  根太つなぎ材
６１  床面材
【図１】
2004232389.tif 000003
【図２】
2004232389.tif 000004
【図３】
2004232389.tif 000005
【図４】
2004232389.tif 000006
【図５】
2004232389.tif 000007
【図６】
2004232389.tif 000008
【図７】
2004232389.tif 000009
【図８】
2004232389.tif 000010